【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源及び前記第２の光源からの光束に対して像高優先設計がなされており、前記第２の対物レンズは、前記第３の光源からの光束に対して傾角優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項２】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して像高優先設計がなされており、且つ前記第２の光源からの光束に対して傾角優先設計がなされていると共に、前記第２の対物レンズは、前記第３の光源からの光束に対して像高優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記レンズホルダに対する前記第２の対物レンズの傾きを調整するステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする光ピックアップ装置の組立方法。
【請求項３】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して像高優先設計がなされており、且つ前記第２の光源からの光束に対して傾角優先設計がなされていると共に、前記第２の対物レンズは、前記第３の光源からの光束に対して傾角優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項４】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源及び前記第２の光源からの光束に対して像高優先設計がなされており、前記第２の対物レンズは、前記第３の光源からの光束に対して像高優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を、前記第３光情報記録媒体の情報記録面に集光させるようにした時、該集光スポットのコマ収差が軽減するよう、前記レンズホルダに対する前記第２の対物レンズの傾きを調整するステップと、を有することを特徴とする光ピックアップ装置の組立方法。      
【請求項５】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して傾角優先設計がなされており、且つ前記第２の光源からの光束に対して像高優先設計がなされていると共に、前記第２の対物レンズは、前記第３の光源からの光束に対して像高優先設計がなされており、
前記第１の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記レンズホルダに対する前記第２の対物レンズの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、を有することを特徴とする光ピックアップ装置の組立方法。
【請求項６】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して傾角優先設計がなされており、且つ前記第２の光源からの光束に対して像高優先設計がなされていると共に、前記第２の対物レンズは、前記第３の光源からの光束に対して傾角優先設計がなされており、
前記第１の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項７】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して傾角優先設計がなされており、且つ前記第２の光源からの光束に対して傾角優先設計がなされていると共に、前記第２の対物レンズは、前記第３の光源からの光束に対して像高優先設計がなされており、
前記第２の対物レンズを介して、前記第３の光源からの光束を第３光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする光ピックアップ装置の組立方法。
【請求項８】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して傾角優先設計がなされており、且つ前記第２の光源からの光束に対して傾角優先設計がなされていると共に、前記第２の対物レンズは、前記第３の光源からの光束に対して傾角優先設計がなされており、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項９】
前記シフト調整処理は、調整すべき前記光源を基準光軸直交方向に移動させることで行うことを特徴とする請求項２〜８のいずれかに記載の光ピックアップ装置の組立方法。
【請求項１０】
前記第１の光源と前記第２の光源とが同一の筐体内に収容されていることを特徴とする請求項１〜８のいずれかに記載の光ピックアップ装置の組立方法。
【請求項１１】
前記第２の光源と前記第３の光源とが同一の筐体内に収容されていることを特徴とする請求項１〜８のいずれかに記載の光ピックアップ装置の組立方法。
【請求項１２】
前記第１の光源と前記第２の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とする請求項１〜８のいずれかに記載の光ピックアップ装置の組立方法。
【請求項１３】
前記第２の光源と前記第３の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とする請求項１〜８のいずれかに記載の光ピックアップ装置の組立方法。
【請求項１４】
前記光ピックアップ装置は、前記第１〜前記第３光情報記録媒体のうち少なくとも２つの光情報記録媒体の情報記録面から反射した光束の少なくとも一部を分離させる分離手段と、前記反射光を受光する光検出器と、前記分離手段と前記光検出器との間に配置された光軸補正素子とを有することを特徴とする請求項１〜１３のいずれかに記載の光ピックアップ装置の組立方法。
【請求項１５】
前記光ピックアップ装置は、光源から出射した光束を記録又は再生用のメインビームと、トラッキングエラー信号検出用のサブビームに分離するための回折格子素子を有し、前記サブビームにおいて光情報記録媒体の情報記録面上での結像スポットの収差は０．０７λｒｍｓ以下であることを特徴とする請求項１〜８のいずれかに記載の光ピックアップ装置の組立方法。
【請求項１６】
前記レンズホルダは、前記第１の対物レンズ又は前記第２の対物レンズの主点を略中心とした球面の一部を含む支持部を有することを特徴とする請求項２、４、５のいずれかに記載の光ピックアップ装置の組立方法。
【請求項１７】
前記レンズホルダに対して、傾き調整をすべき対物レンズを非接触な状態に保持したまま、その傾きを調整した後に、前記レンズホルダと前記傾き調整がされた対物レンズとの間の空間に接着剤を充填して、両者を固定することを特徴とする請求項２、４，５のいずれかに記載の光ピックアップ装置の組立方法。
【請求項１８】
前記レンズホルダに対して前記第１の対物レンズ又は前記第２の対物レンズの傾きを調整する際に、調整する対物レンズを保持するアームとの干渉を回避するための凹部を前記レンズホルダに形成したことを特徴とする請求項２、４、５及び１６，１７のいずれかに記載の光ピックアップ装置の組立方法。
【請求項１９】
前記相対傾き変更手段は、前記レンズホルダを傾けることを特徴とする請求項１〜１８のいずれかに記載の光ピックアップ装置の組立方法。
【請求項２０】
前記相対傾き変更手段は、前記対物レンズ及び前記光源を含む光学系全体を傾けることを特徴とする請求項１〜１８のいずれかに記載の光ピックアップ装置の組立方法。
【請求項２１】
請求項１〜２０のいずれかに記載の光ピックアップ装置の組立方法により組み立てられたことを特徴とする光ピックアップ装置。
【手続補正２】
【補正対象書類名】明細書
【補正対象項目名】０００８
【補正方法】変更
【補正の内容】
【０００８】
請求項４に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源及び前記第２の光源からの光束に対して像高優先設計がなされており、前記第２の対物レンズは、前記第３の光源からの光束に対して像高優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を、前記第３光情報記録媒体の情報記録面に集光させるようにした時、該集光スポットのコマ収差が軽減するよう、前記レンズホルダに対する前記第２の対物レンズの傾きを調整するステップと、を有することを特徴とする。
【手続補正３】
【補正対象書類名】明細書
【補正対象項目名】００１７
【補正方法】変更
【補正の内容】
【００１７】
請求項４に記載の光ピックアップ装置の組立方法は、前記第１の対物レンズが、前記第１の光源及び前記第２の光源からの光束に対して像高優先設計がなされており、前記第２の対物レンズが、前記第３の光源からの光束に対して像高優先設計がなされており、従って各対物レンズは、コマ収差を所定値以内に抑えるに当たって、光源のシフトによる入射光束の傾きに対しコマ調整感度が低い。一方、その対物レンズのチルトに対してはコマ調整感度が高いので、各対物レンズの傾きを精度良く調整することで、いずれの光源からの光束を用いても光情報記録媒体の情報記録面に集光されたスポットにおいてコマ収差を抑えることができ、それにより適切な情報の記録及び／又は再生を行うことができる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。
【手続補正４】
【補正対象書類名】明細書
【補正対象項目名】００２０
【補正方法】変更
【補正の内容】
【００２０】
請求項１に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源及び前記第２の光源からの光束に対して像高優先設計がなされており、前記第２の対物レンズは、前記第３の光源からの光束に対して傾角優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【手続補正５】
【補正対象書類名】明細書
【補正対象項目名】００２２
【補正方法】変更
【補正の内容】
【００２２】
請求項２に記載の光ピックアップ装置の組立方法であって、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して像高優先設計がなされており、且つ前記第２の光源からの光束に対して傾角優先設計がなされていると共に、前記第２の対物レンズは、前記第３の光源からの光束に対して像高優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記レンズホルダに対する前記第２の対物レンズの傾きを調整するステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする。
【手続補正６】
【補正対象書類名】明細書
【補正対象項目名】００２４
【補正方法】変更
【補正の内容】
【００２４】
請求項３に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、又、前記第２の光源からの光束を、厚さｔ２（ｔ１≦ｔ２）の保護層を介して第２光情報記録媒体の情報記録面に集光させることによって、情報の記録及び／又は再生を行うことが可能となっており、前記第２の対物レンズを介して、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束に対して像高優先設計がなされており、且つ前記第２の光源からの光束に対して傾角優先設計がなされていると共に、前記第２の対物レンズは、前記第３の光源からの光束に対して傾角優先設計がなされており、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第１の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【手続補正７】
【補正対象書類名】明細書
【補正対象項目名】００４２
【補正方法】変更
【補正の内容】
【００４２】
請求項１６に記載の光ピックアップ装置の組立方法は、請求項２、４、５のいずれかに記載の発明において、前記レンズホルダは、前記第１の対物レンズ又は前記第２の対物レンズの主点を略中心とした球面の一部を含む支持部を有することを特徴とするので、対物レンズの傾角を調整するのに伴って光源からの光束の光軸に対するシフトが生ずることを抑制できる。
【手続補正８】
【補正対象書類名】明細書
【補正対象項目名】００４３
【補正方法】変更
【補正の内容】
【００４３】
請求項１７に記載の光ピックアップ装置の組立方法は、請求項２、４、５のいずれかに記載の発明において、前記レンズホルダに対して、傾き調整をすべき対物レンズを非接触な状態に保持したまま、その傾きを調整した後に、前記レンズホルダと前記傾き調整がされた対物レンズとの間の空間に接着剤を充填して、両者を固定することを特徴とする。かかる理由は、前記レンズホルダに前記対物レンズが接触した状態で前記対物レンズの傾き調整を行うと、傾き調整時に前記レンズホルダの姿勢に影響を与える可能性があるからであり、その状態で前記対物レンズの傾き調整を行っても、調整後に前記レンズホルダの姿勢が本来の実使用時の状態に戻ると、前記対物レンズの傾きが調整状態からずれてしまうことになる。請求項１５の組立方法によれば、この問題を回避することができる。
【手続補正９】
【補正対象書類名】明細書
【補正対象項目名】００４４
【補正方法】変更
【補正の内容】
【００４４】
請求項１８に記載の光ピックアップ装置の組立方法は、請求項２、４、５及び１６，１７のいずれかに記載の発明において、前記レンズホルダに対して前記第１の対物レンズ又は前記第２の対物レンズの傾きを調整する際に、調整する対物レンズを保持するアームとの干渉を回避するための凹部を前記レンズホルダに形成したことを特徴とする。
【手続補正１０】
【補正対象書類名】明細書
【補正対象項目名】００４７
【補正方法】削除
【補正の内容】
【手続補正１１】
【補正対象書類名】明細書
【補正対象項目名】００４８
【補正方法】変更
【補正の内容】
【００４８】
請求項２１に記載の光ピックアップ装置は、請求項１〜２０のいずれかに記載の光ピックアップ装置の組立方法により組み立てられたことを特徴とする。